(57)【要約】【課題】後変換処理待ちの番組を効率的に処理することが可能な記録再生装置を提供することを目的とする。【解決手段】記録再生装置１００は、ストリーム抽出部１０２と、ストリーム蓄積部１０７と、ストリーム蓄積部１０７から読み出された第１ストリームをデコードして番組信号に変換するデコーダ部１０８と、番組信号をエンコードして第２ストリームに変換するエンコーダ部１１０と、制御部１２０とを備えている。制御部１２０は、ストリーム蓄積部１０７に記録された複数の第１ストリームを、当該第１ストリームに含まれる映像信号の解像度または符号化方式を示す情報に基づいて決定した順序で第２ストリームにエンコードするように、デコーダ部１０８およびエンコーダ部１１０を制御するとともに、映像信号の解像度と映像信号の符号化方式が同じ場合は、第１ストリームの記録時間の長さに基づいて決定した順序で第２ストリームにエンコードする。【選択図】図１
2019154072.tif 000002
【特許請求の範囲】
【請求項１】
エンコードされた放送番組を受信して第１ストリームを抽出するストリーム抽出部と、
前記ストリーム抽出部により抽出された前記第１ストリームを記録するストリーム蓄積部と、
前記ストリーム蓄積部から読み出された前記第１ストリームをデコードして番組信号に変換するデコーダ部と、
前記番組信号をエンコードして第２ストリームに変換するエンコーダ部と、
前記ストリーム抽出部、前記ストリーム蓄積部、前記デコーダ部および前記エンコーダ部の動作を制御する制御部と、
を備え、
前記制御部は、前記ストリーム蓄積部に記録された複数の前記第１ストリームを、当該第１ストリームに含まれる映像信号の解像度または符号化方式を示す情報に基づいて決定した順序で前記第２ストリームにエンコードするように、前記デコーダ部および前記エンコーダ部を制御するとともに、前記映像信号の解像度と前記映像信号の符号化方式が同じ場合は、前記第１ストリームの記録時間の長さに基づいて決定した順序で前記第２ストリームにエンコードする、記録再生装置。
【請求項２】
前記制御部は、前記第１ストリームの記録時間の長い順に、前記第１ストリームを前記第２ストリームに優先的にエンコードするように、前記デコーダ部および前記エンコーダ部を制御する、請求項１に記載の記録再生装置。
【発明の詳細な説明】
【技術分野】
【０００１】
本発明は、複数の解像度と複数の符号化方式に対応したデジタル放送番組のストリームを記録する方式として、ビットレート等の仕様を変更せず直接記録する方式とビットレートを変更して記録する方式との両方に対応した記録再生装置に関するものである。
【背景技術】
【０００２】
近年、デジタル放送のデジタル信号を記録する記録再生装置として、デコーダ（復号化器）とエンコーダ（符号化器）を搭載し、デジタル信号のビットレートを下げて記録することにより、長時間の番組の記録を可能としたものがある。デジタル信号のビットレートを下げる処理は、エンコード（符号化）されて放送されたデジタル信号をデコーダが一旦デコード（復号化）し、それをエンコーダが所望のビットレートで再エンコードすることによって実現される。
【０００３】
本明細書では、デジタル信号のストリームをデコーダおよびエンコーダを用いて、ビットレート、記録モード、または符号化方式等の仕様を変換して記録する記録方式を「再エンコード記録」と称し、デジタル信号の仕様を変更せずに直接記録する記録方式を「ストリーム直接記録」と称する。
【０００４】
記録再生装置において、デコーダおよびエンコーダを用いた処理を複数同時に実行可能にするには、記録再生装置にデコーダおよびエンコーダを複数搭載する必要がある。そのため、デコーダおよびエンコーダをハードウェアで実現する場合には、専用のハードウェアが必要となり記録再生装置の製造コストが増大する。また、デコーダおよびエンコーダをソフトウェアで実現する場合でも、より高い処理能力のＣＰＵ（Ｃｅｎｔｒａｌ  Ｐｒｏｃｅｓｓｉｎｇ  Ｕｎｉｔ）と大容量のメモリが必要となり、この場合も製造コストが増大する。
【０００５】
そのため、例えば特許文献１には、デジタル信号のストリームを記録媒体へ記録する際、ストリーム直接記録と再エンコード記録との両方で記録する記録再生装置が開示されている。特許文献１に記載の記録再生装置は、再エンコード記録中に、デコーダおよびエンコーダを他の処理に用いる必要が生じると、ストリーム直接記録のみ継続し、再エンコード記録を停止する。そして、デコーダおよびエンコーダが再度使用可能になった後、直接記録されたストリームを使用して再エンコード記録を実行する。特許文献１に記載の記録再生装置では、以上の動作を行うことにより、デコーダおよびエンコーダを増やすことなく、再エンコード記録中に他のストリームの再エンコード記録および再生等の同時動作を行うことを可能としている。
【０００６】
しかし、特許文献１に記載の記録再生装置では、ストリーム記録中にデコーダおよびエンコーダを他の処理に用いる必要が生じると、後で再エンコード記録が必要なストリーム直接記録された番組が記録媒体に残る。デコーダおよびエンコーダが再度使用可能になったとき、例えば、使用者が記録再生装置の使用を終了し、リモコンで電源をオフした後など、記録再生装置が使用されていない時間帯を見計らって中断した再エンコード記録処理を実施する必要がある。本明細書では、ストリーム直接記録後に実施する再エンコード記録処理を「後変換処理」と称する。
【０００７】
後変換処理には、一般的に番組放送時間とほぼ同等の時間を要する。よって、使用者が記録再生装置を使用する頻度が高い場合、即ち記録再生装置が使用されていない時間が比較的短い場合は、後変換処理待ちのストリームが記録媒体に多数残ったままとなる。また、例えば、後変換処理中に使用者がリモコンで記録再生装置の電源をオンした場合などは、速やかに後変換処理を中断し、デコーダおよびエンコーダを使用可能とし、途中まで後変換処理したストリームを破棄する。従って、映画等の長時間番組などは後変換処理が完了しにくく、長時間番組の後変換処理が完了しないために、次の番組に対して後変換処理が開始されなくなることがあった。
【０００８】
上記の問題を解決するために、例えば特許文献２には、後変換処理すべきストリームが記録媒体に複数存在する場合、放送番組の記録時間、放送番組の属性、放送番組のジャンル、再生履歴の有無、後変換処理中断の有無、または視聴履歴の有無等の所定の優先度に従って後変換処理する順番を決定する技術が開示されている。
【先行技術文献】
【特許文献】
【０００９】
【特許文献１】特開２０１２−２２７５７７号公報
【特許文献２】特開２０１４−２１６８９１号公報
【発明の概要】
【発明が解決しようとする課題】
【００１０】
一方、２０１５年７月に総務省が発表した４Ｋ・８Ｋロードマップに関するフォローアップ会合の第二次中間報告によれば、２０１８年には現行の２Ｋ放送よりも高解像度な４Ｋ・８Ｋ実用放送が開始され、かつ現行の２Ｋ放送と４Ｋ・８Ｋ放送とが共存する見通しとなっている。
【００１１】
また、４Ｋ・８Ｋ放送には現行の２Ｋ放送で用いられている映像符号化方式であるＭＰＥＧ（Ｍｏｖｉｎｇ  Ｐｉｃｔｕｒｅｓ  Ｅｘｐｅｒｔｓ  Ｇｒｏｕｐ）２方式、およびＨ．２６４／ＭＰＥＧ４−ＡＶＣ（Ａｄｖａｎｃｅｄ  Ｖｉｄｅｏ  Ｃｏｄｉｎｇ）方式（以下、「Ｈ．２６４方式」と称す）ではなく、さらに圧縮効率の高いＨ．２６５｜ＨＥＶＣ（Ｈｉｇｈ  Ｅｆｆｉｃｉｅｎｃｙ  Ｖｉｄｅｏ  Ｃｏｄｉｎｇ）方式（以下、「ＨＥＶＣ方式」と称す）が用いられることも決定している。ＨＥＶＣ方式は高い圧縮効率を誇る反面、放送されたデジタル信号をエンコードしたり、エンコード済みストリームをデコード（復号化）したりする際に、ＭＰＥＧ２よりも高いＣＰＵ処理能力、大容量メモリおよび大きな消費電力を必要とする。例えばＨＥＶＣ方式で放送された４Ｋ・８Ｋ放送をストリーム直接記録したデータを再エンコード記録するためにデコードする場合、他の機器動作が制限されてしまうなどの不便が生じることが考えられる。
【００１２】
そこで、本発明は、後変換処理待ちの番組を効率的に処理することが可能な記録再生装置を提供することを目的とする。
【課題を解決するための手段】
【００１３】
本発明に係る記録再生装置は、エンコードされた放送番組を受信して第１ストリームを抽出するストリーム抽出部と、前記ストリーム抽出部により抽出された前記第１ストリームを記録するストリーム蓄積部と、前記ストリーム蓄積部から読み出された前記第１ストリームをデコードして番組信号に変換するデコーダ部と、前記番組信号をエンコードして第２ストリームに変換するエンコーダ部と、前記ストリーム抽出部、前記ストリーム蓄積部、前記デコーダ部および前記エンコーダ部の動作を制御する制御部とを備え、前記制御部は、前記ストリーム蓄積部に記録された複数の前記第１ストリームを、当該第１ストリームに含まれる映像信号の解像度または符号化方式を示す情報に基づいて決定した順序で前記第２ストリームにエンコードするように、前記デコーダ部および前記エンコーダ部を制御するとともに、前記映像信号の解像度と前記映像信号の符号化方式が同じ場合は、前記第１ストリームの記録時間の長さに基づいて決定した順序で前記第２ストリームにエンコードするものである。
【発明の効果】
【００１４】
本発明によれば、制御部は、ストリーム蓄積部に記録された複数の第１ストリームを、当該第１ストリームに含まれる映像信号の解像度または符号化方式を示す情報に基づいて決定した順序で第２ストリームにエンコードするように、デコーダ部およびエンコーダ部を制御するとともに、映像信号の解像度と映像信号の符号化方式が同じ場合は、第１ストリームの記録時間の長さに基づいて決定した順序で第２ストリームにエンコードする。
【００１５】
従って、高解像度または高効率符号化方式でデコードが必要な後変換処理待ちの番組を効率的に処理することができる。
【図面の簡単な説明】
【００１６】
【図１】実施の形態に係る記録再生装置の機能ブロック図である。
【図２】所定の優先度により決定した順序で後変換処理を行う番組のリストの一例を示す図である。
【図３】所定の優先度により決定した順序で後変換処理を行うスケジュールの一例を示す図である。
【図４】解像度または符号化方式を示す情報に基づいて決定した順序で後変換処理を行う番組のリストの一例を示す図である。
【図５】解像度または符号化方式を示す情報に基づいて決定した順序で後変換処理を行うスケジュールの一例を示す図である。
【発明を実施するための形態】
【００１７】
＜実施の形態＞
本発明の実施の形態について、図面を用いて以下に説明する。
【００１８】
＜構成＞
図１は、本実施の形態に係る記録再生装置１００の機能ブロック図である。図１に示すように記録再生装置１００は、ストリーム抽出部１０２と、ストリーム制御部１０６と、ストリーム蓄積部１０７とを備える。ストリーム抽出部１０２は、チューナ部１０２ａとトランスポートストリームデコーダ部１０２ｂ（以下、「ＴＳデコーダ部」と称す）から構成される。
【００１９】
記録再生装置１００はさらに、デコーダ部１０８と、エンコーダ部１１０とを備える。また、記録再生装置１００はさらに、制御部１２０と、ＲＯＭ（Ｒｅａｄ  Ｏｎｌｙ  Ｍｅｍｏｒｙ）部１２１と、ＲＡＭ（Ｒａｎｄｏｍ  Ａｃｃｅｓｓ  Ｍｅｍｏｒｙ）部１２２とを備える。また、記録再生装置１００はさらに、外部の操作指示送信部１３０（例えばリモコン等）からの信号を受信する操作指示受信部１３１を備える。各部はバスライン１２３により制御部１２０と接続されている。
【００２０】
ストリーム抽出部１０２は、エンコードされた放送番組を受信して記録用パーシャルトランスポートストリームを抽出する。より具体的には、チューナ部１０２ａは、外部アンテナ１０１から解像度が２Ｋまたは４Ｋ、符号化方式がＭＰＥＧ２、Ｈ．２６４またはＨＥＶＣに対応した複数のデジタル放送チャンネルを含むＲＦ（Ｒａｄｉｏ  Ｆｒｅｑｕｅｎｃｙ）信号を受信する。そして、チューナ部１０２ａは、任意の放送電波周波数に対する同調処理と復調処理を行い、記録用トランスポートストリーム（以下、「記録用ＴＳ」と称す）を抽出する。以降の説明においては、特に記載が無い限り、「解像度」は映像信号の解像度、「符号化方式」は映像信号の符号化方式を意味するものとする。
【００２１】
記録用ＴＳは、ＴＳデコーダ部１０２ｂに入力される。ＴＳデコーダ部１０２ｂは、記録用ＴＳから再生に必要な情報（映像情報および音声情報など）のみを含んだ記録用パーシャルトランスポートストリーム（以下、「第１ストリーム」と称す）を抽出する。第１ストリームは、解像度が２Ｋまたは４Ｋ、符号化方式がＭＰＥＧ２、Ｈ．２６４またはＨＥＶＣに対応している。第１ストリームは、ストリーム制御部１０６に入力される。ストリーム制御部１０６は、第１ストリームをストリーム蓄積部１０７にストリーム直接記録する。ストリーム蓄積部１０７は、例えばＨＤＤ（Ｈａｒｄ  Ｄｉｓｋ  Ｄｒｉｖｅ）により実現される。
【００２２】
また、ストリーム制御部１０６は、ＴＳデコーダ部１０２ｂから入力される第１ストリームを、デコーダ部１０８に対して出力することも可能である。デコーダ部１０８は、解像度が２Ｋまたは４Ｋ、符号化方式がＭＰＥＧ２、Ｈ．２６４またはＨＥＶＣのデコードに対応しており、デコードした番組信号（映像信号および音声信号）をエンコーダ部１１０に出力することもできる。エンコーダ部１１０は、例えば解像度が２Ｋまたは４Ｋ、符号化方式がＭＰＥＧ２またはＨ．２６４に対応しており、受信した番組信号（映像信号および音声信号）をエンコードして再エンコード記録用パーシャルトランスポートストリーム（以下、「第２ストリーム」と称す）を生成することができる。本実施の形態では、第２ストリームは、例えば解像度が２Ｋ、符号化方式がＨ．２６４に対応しているものとする。第２ストリームは、ストリーム制御部１０６を介してストリーム蓄積部１０７に記録される。
【００２３】
ストリーム制御部１０６は、番組視聴時にはＴＳデコーダ部１０２ｂから受信した第１ストリームを、また、番組再生時にはストリーム蓄積部１０７から読み出した第１または第２ストリームを、デコーダ部１０８に対して出力する。デコーダ部１０８は、第１または第２ストリームをデコードし、映像信号および音声信号を生成して、映像／音声出力端子から、外部の表示装置、およびスピーカー等にそれぞれ出力する。
【００２４】
制御部１２０は、例えばマイコンにより実現され、ＲＯＭ部１２１に格納されたプログラムコードに従って動作し、ＲＡＭ部１２２をワーク領域として使用する。制御部１２０は、バスライン１２３を介してチューナ部１０２ａ、ＴＳデコーダ部１０２ｂ、ストリーム制御部１０６、デコーダ部１０８およびエンコーダ部１１０の動作を制御する。
【００２５】
操作指示受信部１３１は、リモコンまたは赤外線送信機等で構成される操作指示送信部１３０から、使用者の操作命令を受信する。操作指示受信部１３１は、バスライン１２３を介して制御部１２０に接続されている。
【００２６】
＜番組視聴時の動作＞
記録再生装置１００を使用してデジタル放送番組の視聴を開始する場合、使用者が操作指示送信部１３０の電源キーを押下すると、相当するキーコードが操作指示受信部１３１を経由して制御部１２０に送信される。制御部１２０は、チューナ部１０２ａを制御して、任意の（一般的には前回視聴した際に最後に選局していた）チャンネル周波数に同調させ、復調処理を開始する。
【００２７】
復調処理が完了すると、制御部１２０は、ＴＳデコーダ部１０２ｂを制御して、記録用ＴＳの中からＰＳＩ（Ｐｒｏｇｒａｍ  Ｓｐｅｃｉｆｉｃ  Ｉｎｆｏｒｍａｔｉｏｎ）情報と呼ばれる番組を特定するための情報を抽出して解析し、放送番組の映像信号および音声信号などのデータパケットをフィルタリングして第１ストリームを生成する。また、制御部１２０は、番組タイトルおよび番組ジャンルなどの番組属性を格納するＳＩ（Ｓｅｒｖｉｃｅ Ｉｎｆｏｒｍａｔｉｏｎ）情報と呼ばれる番組配列情報も抽出して解析を行う。
【００２８】
次に、制御部１２０は、ストリーム制御部１０６を制御して、第１ストリームをそのままデコーダ部１０８に送信する。デコーダ部１０８は、第１ストリームから映像信号および音声信号を生成する。デジタル放送の映像信号は、２Ｋまたは４Ｋの解像度を有しており、ＭＰＥＧ２方式、Ｈ．２６４方式、またはＨＥＶＣ方式の符号化方式によって符号化されている。デジタル放送の音声信号は、ＡＡＣ（Ａｄｖａｎｃｅｄ  Ａｕｄｉｏ  Ｃｏｄｉｎｇ）方式等の符号化方式を使用してデータ圧縮されている。
【００２９】
制御部１２０は、デコーダ部１０８に内蔵されたＭＰＥＧ２、Ｈ．２６４またはＨＥＶＣデコーダ、およびＡＡＣデコーダを使用して、第１ストリームを非圧縮の映像信号および音声信号に復号する。復号された映像信号および音声信号は、記録再生装置１００の映像／音声出力として、外部の表示装置およびスピーカー等に出力される。以上により、使用者は任意のチャンネルで現在放送されている番組の映像と音声を視聴することができる。
【００３０】
＜番組記録動作＞ 
記録再生装置１００を使用して現在受信中のデジタル放送番組を記録する場合、使用者が操作指示送信部１３０に設けられた録画キーを押下することにより、相当するキーコードが操作指示受信部１３１を経由して制御部１２０に送信される。すると制御部１２０は、放送番組の記録処理を開始する。視聴を開始した段階でストリーム制御部１０６には、既に２Ｋまたは４Ｋの解像度で、ＭＰＥＧ２、Ｈ．２６４またはＨＥＶＣの符号化方式に対応した第１ストリームが入力されている。そして制御部１２０は、ストリーム制御部１０６を制御してストリーム蓄積部１０７に第１ストリームを記録する。以上の動作により、受信中のデジタル放送番組が、「ストリーム直接記録」される。
【００３１】
また、記録を開始した段階でストリーム制御部１０６は、ＴＳデコーダ部１０２ｂから受信した第１ストリームを、デコーダ部１０８に対して出力している。解像度が２Ｋまたは４Ｋ、符号化方式がＭＰＥＧ２、Ｈ．２６４またはＨＥＶＣのデコードに対応したデコーダ部１０８は、第１ストリームから映像信号および音声信号を生成している。制御部１２０は、この動作に加え、デコーダ部１０８を制御して、デコードした映像信号および音声信号を、エンコーダ部１１０に出力することも可能である。制御部１２０は、エンコーダ部１１０を制御して、映像信号および音声信号をエンコードして第２ストリームを生成する。次に、制御部１２０は、ストリーム制御部１０６を制御して、第２ストリームをストリーム蓄積部１０７に記録する。以上の動作により、受信中のデジタル放送番組が「再エンコード記録」される。
【００３２】
デコーダ部１０８とエンコーダ部１１０を使用して、解像度が２Ｋまたは４Ｋ、符号化方式がＭＰＥＧ２、Ｈ．２６４またはＨＥＶＣのデコードに対応した第１ストリームを、例えば解像度が２Ｋ、符号化方式がＨ．２６４のデコードに対応した第２ストリームに再エンコードすることにより、ストリームの仕様を変更することができる。具体的には、第１ストリームの符号化方式を変更したり、解像度またはフレームレートを変更したりすることで、第２ストリームのビットレートを低減することが可能である。ビットレートの低減により、ストリーム蓄積部１０７の記録容量を節約することができる。または、解像度を２Ｋ、符号化方式をＨ．２６４に変更することで、４Ｋ解像度またはＨＥＶＣ符号化に対応していないブルーレイディスクなどの記録媒体にコピーすることが容易になる。
【００３３】
使用者が操作指示送信部１３０に設けられた停止キーを押下すると、相当するキーコードが操作指示受信部１３１を経由して制御部１２０に送信される。すると制御部１２０は、現在実行中の番組記録動作の停止処理を開始する。制御部１２０は、ストリーム制御部１０６を制御してストリーム蓄積部１０７への第１および第２ストリームの記録を停止する。
【００３４】
なお、上記のストリーム直接記録動作と再エンコード記録動作はいずれか一方だけ行われてもよいし、同時に行われてもよい。また、上記の番組視聴動作と番組記録動作においては、使用者が操作指示送信部１３０を操作することにより動作を開始した。一方、予約録画などのように、あらかじめ指定された番組の放送時刻に自動的に記録再生装置１００を起動させて、番組記録動作を開始することも可能である。
【００３５】
＜番組再生動作＞
記録再生装置１００を使用して、ストリーム蓄積部１０７に記録済みのデジタル放送番組を再生する場合、使用者が操作指示送信部１３０に設けられた再生キーを押下することにより、相当するキーコードが操作指示受信部１３１を経由して制御部１２０に送信される。すると制御部１２０は、放送番組の再生処理を開始する。
【００３６】
制御部１２０は、ストリーム制御部１０６を制御して、ストリーム蓄積部１０７に記録された第１または第２ストリーム、すなわち記録済み番組ストリームを読み出して、デコーダ部１０８に送信する。次に、制御部１２０は、デコーダ部１０８を制御して第１または第２ストリームから映像信号および音声信号を生成する。以降の動作は番組視聴動作と同様であるため、説明を省略する。
【００３７】
上記の通り、番組視聴時および番組再生動作時においてはデコーダ部１０８を使用する必要があるため、番組視聴中および番組再生動作中は再エンコード記録動作を行うことができない。つまり、番組視聴時および番組再生動作時はストリーム直接記録動作しか行うことができないので、再エンコード記録動作を行う場合は、第１ストリームを一旦ストリーム直接記録する。そして、デコーダ部１０８が使用可能になったときに、後変換処理を実行して再エンコード記録動作を行う。
【００３８】
＜後変換処理動作（２Ｋ／ＭＰＥＧ２）＞
記録再生装置１００を使用して、ストリーム蓄積部１０７にストリーム直接記録済みのデジタル放送番組（すなわち、第１ストリーム）の後変換処理を行う場合について説明する。制御部１２０は、ストリーム制御部１０６を制御して、ストリーム蓄積部１０７にストリーム直接記録により記録された、後変換処理が必要な番組の第１ストリームを読み出し、デコーダ部１０８に出力する。ここで、第１ストリームは、解像度が２Ｋで符号化方式がＭＰＥＧ２方式で記録されているものとする。
【００３９】
次に、制御部１２０は、デコーダ部１０８を制御して、デコードした映像信号および音声信号をエンコーダ部１１０に出力する。次に、制御部１２０は、エンコーダ部１１０を制御して、受信した映像信号および音声信号をエンコードして第２ストリームを生成する。ここで、第２ストリームは、解像度が２Ｋのままで符号化方式をＭＰＥＧ２方式からＨ．２６４方式に変更されているものとする。そして、制御部１２０は、ストリーム制御部１０６を制御して、第２ストリームをストリーム蓄積部１０７に記録する。以上の動作により、記録済みのデジタル放送番組が「後変換処理」される。
【００４０】
デコーダ部１０８とエンコーダ部１１０を使用して、直接記録したストリームを再エンコードすることにより、ストリームの仕様を変更することができる。本実施の形態においては、第１ストリームの符号化方式をさらに圧縮効率の高い方式に変更することで、第２ストリームのビットレートを低減することができる。よって、ストリーム蓄積部１０７の記録容量を節約することができる。
【００４１】
再エンコード記録と同様に、後変換処理動作においては、デコーダ部１０８を使用する必要があるので、番組視聴中および番組再生動作中は後変換処理動作を行うことができない。従って、後変換処理は番組再生動作が行われていないときに実行する必要がある。番組再生動作が行われていないときとは、例えば、使用者が記録再生装置１００の電源をオフした後の電源オフ期間などである。
【００４２】
しかし、記録再生装置１００の電源オフ期間中に後変換処理動作を開始しても、後変換処理の途中で電源がオンされた場合などは、制御部１２０は速やかに後変換処理を中断して、途中まで生成した第２ストリームを、ストリーム蓄積部１０７から削除する。これは、使用者が、番組再生動作を指示した場合にその動作を妨げないようにするためである。
【００４３】
一般的に、後変換処理に要する時間は、番組放送時間とほぼ同等であるため、放送時間の長い番組を後変換処理する場合ほど、使用者が記録再生装置１００の電源をオンした場合には処理を中断する可能性が高くなる。
【００４４】
ただし、解像度が２Ｋおよび符号化方式がＭＰＥＧ２方式で、第１ストリームが記録されているような場合は、デコーダ部１０８を使用していても、ストリーム直接記録動作を行うことが可能であるため、使用者による電源オンではない予約録画動作であれば、予約録画動作をストリーム直接記録にて行うことで、後変換処理と並行して処理することが可能である。
【００４５】
＜後変換処理動作（４Ｋ／ＨＥＶＣ）＞
一方、ストリーム蓄積部１０７に記録された第１ストリームが、解像度が４Ｋで符号化方式がＨＥＶＣ方式で記録されていて、第２ストリームが、解像度は２Ｋで符号化方式をＨ．２６４方式に変更する場合の後変換処理動作について説明する。制御部１２０は、ストリーム制御部１０６を制御して、ストリーム蓄積部１０７にストリーム直接記録により記録された、後変換処理が必要な番組の第１ストリームを読み出し、デコーダ部１０８に出力する。
【００４６】
次に、制御部１２０は、解像度が２Ｋまたは４Ｋ、符号化方式がＭＰＥＧ２、Ｈ．２６４またはＨＥＶＣのデコードに対応したデコーダ部１０８を制御して、デコードした映像信号および音声信号をエンコーダ部１１０に出力する。ただし、第１ストリームは、解像度が４Ｋで符号化方式がＨＥＶＣ方式で記録されているため、デコーダ部１０８は動作中にさらに多くのメモリおよびＣＰＵ処理能力を必要とする。
【００４７】
次に、制御部１２０は、エンコーダ部１１０を制御して、受信した映像信号および音声信号をエンコードして第２ストリームを生成し、ストリーム制御部１０６を制御して、第２ストリームをストリーム蓄積部１０７に記録することで記録済みのデジタル放送番組が「後変換処理」される。しかし、デコーダ部１０８の出力、すなわちエンコーダ部１１０の入力となる映像信号の解像度が４Ｋであるため、ここでもエンコーダ部１１０がさらに多くのメモリおよびＣＰＵ処理能力を必要とする。
【００４８】
一般的にデコーダ部１０８およびエンコーダ部１１０に大容量のメモリおよび高速処理が可能なＣＰＵを搭載することで、４Ｋ解像度またはＨＥＶＣ方式の第１および第２のストリームを処理しながら、他の処理、例えばストリーム直接記録処理を行うことが可能となるが、記録再生装置１００の製造コストが増大してしまう。
【００４９】
デコーダ部１０８およびエンコーダ部１１０のメモリ容量およびＣＰＵ処理能力を低く抑えたとしても、ストリーム蓄積部１０７に記録された第１ストリームの解像度が２Ｋで符号化方式がＭＰＥＧ２方式の場合、後変換処理中にストリーム直接記録動作を行うことが可能である。しかし、第１ストリームの解像度が４Ｋで符号化方式がＨＥＶＣ方式の場合は、ストリーム直接記録動作を行うとメモリ容量およびＣＰＵ処理能力が不足して同時処理ができなくなる可能性がある。結果として、予約録画動作と後変換処理とが並行して処理できない可能性があるため、予約録画と４Ｋ解像度でＨＥＶＣ方式の後変換処理は同時に処理しないようにすることが望ましい。
【００５０】
＜後変換処理順序＞ 
上記の後変換処理動作において、ストリーム蓄積部１０７にストリーム直接記録で記録された後変換処理が必要な解像度または符号化方式が異なる番組（すなわち、第１ストリーム）が複数存在する場合、本実施の形態では、第１ストリームに含まれる映像信号の解像度または符号化方式を示す情報に基づいて決定した順序で後変換処理を行う。
【００５１】
次に、所定の優先度により決定した順序で後変換処理を行う場合と、解像度または符号化方式を示す情報に基づいて決定した順序で後変換処理を行う場合とを比較しながら説明する。
【００５２】
図２は、所定の優先度により決定した順序で後変換処理を行う番組のリストの一例を示す図であり、図３は、所定の優先度により決定した順序で後変換処理を行うスケジュールの一例を示す図である。図２に示すように、制御部１２０は、所定の優先度に従って、複数の番組の後変換処理の順序を決定して、リストを予め作成する。リストは、例えばＲＡＭ部１２２に格納される。ストリーム蓄積部１０７には、後変換処理が必要な５つの番組Ａ〜Ｅに対応する、複数の第１ストリームが記録されているものとする。
【００５３】
図２において、後変換処理順序は、後変換処理を行う順番を示す。また、記録日時は当該番組が記録された日時であり、記録時間は当該番組の放送時間の長さ、解像度は映像信号の解像度、符号化方式は映像信号の符号化方式である。
【００５４】
図２に示したリストにおいて、後変換処理順序は、番組の記録日時に基づいて決定される。つまり、記録日時の古い番組から順に後変換処理が行われる。図２に示す例では、番組Ａ、番組Ｂ、番組Ｃ、番組Ｄ、番組Ｅの順に後変換処理が行われる。
【００５５】
本実施の形態においては、番組Ｄまたは番組Ｅのように後変換処理を行う番組の解像度が４Ｋでかつ符号化方式がＨＥＶＣ方式の場合は、ストリーム直接記録動作との同時処理ができないものとする。従って、予約録画動作と後変換処理とが並行して処理できなくなるため好ましくない。従って、単純に記録日時の古い番組から順に後変換処理を行うのではなく、録画予約の時間帯を避けて後変換処理を行うなどの後変換処理順序の変更が必要となる。
【００５６】
このことについて具体的に説明する。例えば図３では、使用者が午前０：００に記録再生装置１００の電源をオフした後、午前８：００に録画予約が設定されているものとする。記録再生装置１００の電源オフした後に後変換処理が開始されるが、記録日時の古い番組から番組Ａ、番組Ｂ、番組Ｃ、番組Ｄ、番組Ｅの順番で処理しようとした場合、４Ｋ解像度でＨＥＶＣ符号化方式の番組Ｅの処理と録画予約が重複し、どちらかを中断せざるを得なくなる可能性がある。
【００５７】
そこで、本実施の形態では、後変換処理の順序は、番組の解像度または符号化方式を示す情報に基づいて決定される。より具体的には、制御部１２０は、映像信号の解像度が高い順に、または、映像信号の符号化方式の処理負荷が高い順に、第１ストリームを第２ストリームに優先的にエンコードするようにエンコーダ部１１０を制御する。図４と図５では、使用者が記録再生装置１００の電源をオフした後に、次回の録画予約時刻までの間に、４Ｋ解像度またはＨＥＶＣ符号化方式の番組から優先的に後変換処理を行う。
【００５８】
図４は、解像度または符号化方式を示す情報に基づいて決定した順序で後変換処理を行う番組のリストの一例を示す図である。図５は、解像度または符号化方式を示す情報に基づいて決定した順序で後変換処理を行うスケジュールの一例を示す図である。本実施の形態では、番組Ｄ、番組Ｅ、番組Ａ、番組Ｂ、番組Ｃの順に後変換処理を行う。なお、番組Ｄおよび番組Ｅにおいては、解像度と符号化方式がともに同じであるが、記録時間の長い番組Ｄについて最初に後変換処理を行うこととする。
【００５９】
上記のように、記録日時に関わらず、４Ｋ解像度またはＨＥＶＣ符号化方式の番組Ｄまたは番組Ｅを優先的に後変換処理することによって、録画予約と２Ｋ解像度でＨ．２６４符号化方式の番組Ｃの後変換処理との重複となるため、どちらも両立させることが可能になる。もちろん、後変換処理中に使用者が記録再生装置１００の電源をオンする可能性もあるが、すべての番組の後変換処理が完了できる確率が上昇することには違いない。
【００６０】
＜効果＞ 
以上のように、実施の形態に係る記録再生装置１００では、制御部１２０は、ストリーム蓄積部１０７に記録された複数の第１ストリームを、当該第１ストリームに含まれる映像信号の解像度または符号化方式を示す情報に基づいて決定した順序で第２ストリームにエンコードするように、デコーダ部１０８およびエンコーダ部１１０を制御する。
【００６１】
従って、高解像度または高効率符号化方式でデコードが必要な後変換処理待ちの番組を効率的に処理することができる。
【００６２】
また、記録再生装置１００が電源オフされた後の電源オフ期間に、後変換処理を行う、すなわち、制御部１２０は、ストリーム蓄積部１０７に記録された複数の第１ストリームを第２ストリームにエンコードするように、デコーダ部１０８およびエンコーダ部１１０を制御する。従って、デコーダ部１０８およびエンコーダ部１１０の個数を増やしたり、デコーダ部１０８およびエンコーダ部１１０に大容量のメモリおよび高速処理が可能なＣＰＵを搭載したりしなくても、高解像度または高効率符号化方式でデコードが必要な後変換処理待ちの番組を効率的に処理することができる。
【００６３】
後変換処理待ちの番組数を効率的に減らすことができるため、ストリーム蓄積部１０７の空き容量を効率よく増やすことが可能である。
【００６４】
制御部１２０は、映像信号の解像度が高い順に、第１ストリームを第２ストリームに優先的にエンコードするようにエンコーダ部１１０を制御するため、メモリおよびＣＰＵにかかる負担が高い順にエンコードすることができる。そのため、録画予約などによって後変換処理が中断されにくくなり、エンコードに要する電力が無駄になることを抑制することが可能である。
【００６５】
制御部１２０は、映像信号の符号化方式の処理負荷が高い順に、第１ストリームを第２ストリームに優先的にエンコードするようにエンコーダ部１１０を制御するため、メモリおよびＣＰＵにかかる負担が高い順にエンコードすることができる。そのため、録画予約などによって後変換処理が中断されにくくなり、エンコードに要する電力が無駄になることを抑制することが可能である。
【００６６】
なお、本実施の形態においては、映像信号の解像度は、２Ｋまたは４Ｋとし、映像信号の符号化方式は、ＭＰＥＧ２、Ｈ．２６４またはＨＥＶＣとしたが、映像信号の解像度は、２Ｋ、４Ｋまたは８Ｋであってもよいし、映像信号の符号化方式は、ＭＰＥＧ２、Ｈ．２６４、ＭＰＥＧ４−ＡＶＣ、Ｈ．２６５またはＨＥＶＣであってもよい。映像信号の解像度は、２Ｋ、４Ｋまたは８Ｋであるため、高解像度の番組に対応させることができる。また、映像信号の符号化方式は、ＭＰＥＧ２、Ｈ．２６４、ＭＰＥＧ４−ＡＶＣ、Ｈ．２６５またはＨＥＶＣであるため、圧縮効率の高い符号化方式に対応させることができる。
【００６７】
なお、本実施の形態においては、図４の番組Ｄと番組Ｅについてともに解像度が４Ｋで符号化方式がＨＥＶＣで同じであったため、解像度および符号化方式を示す情報に基づいて後変換処理順序を決定したが、解像度と符号化方式が異なる場合は、解像度を示す情報、または符号化方式を示す情報のいずれかに基づいて後変換処理順序を決定してもよい。
【００６８】
また、本実施の形態においては、記録再生装置１００の電源をオフすると即座に後変換処理を開始したが、一般的に視聴率が低い午前１：００以降である深夜時間帯に後変換処理を行ってもよい。すなわち、制御部１２０は、深夜時間帯に、ストリーム蓄積部１０７に記録された複数の第１ストリームを第２ストリームにエンコードするように、デコーダ部１０８およびエンコーダ部１１０を制御する。従って、視聴率の低い時間帯を利用して後変換処理を行うことで、後変換処理中に使用者が記録再生装置１００の電源をオンする可能性を低く抑え、結果として後変換処理の中断を少なくすることができる。
【００６９】
次に、本発明の産業上の利用可能性について説明する。本発明は、ハードディスク内蔵デジタル放送録画機またはテレビジョン受信機など、複数の解像度と複数の符号化方式に対応した放送番組を受信して外部または内部のディスプレイに表示する機器だけでなく、それらの放送番組を記録媒体にデジタル記録し再生することを目的とする機器に採用可能である。
【００７０】
なお、本発明は、その発明の範囲内において、実施の形態を適宜、変形、省略することが可能である。
【符号の説明】
【００７１】
１００  記録再生装置、１０２  ストリーム抽出部、１０７  ストリーム蓄積部、１０８  デコーダ部、１１０  エンコーダ部、１２０  制御部。
【図１】
2019154072.tif 000003
【図２】
2019154072.tif 000004
【図３】
2019154072.tif 000005
【図４】
2019154072.tif 000006
【図５】
2019154072.tif 000007